(57)【特許請求の範囲】
【請求項１】
複数のセルを行方向及び列方向に組み合わせてなる四辺形の情報表示メモリーマークであって、
当該情報表示メモリーマークは、第１エレメントと、第２エレメント及びデータ部とを少なくとも含み、
前記第１エレメントは、複数のセルを行方向及び列方向に連続して配置してなる方向検出体を複数具備し、当該複数の方向検出体を互いに一定間隔離間して放射状に配置してなり、
前記第２エレメントは、前記方向検出体と、当該方向検出体によって指し示す行方向及び列方向に対して複数のセルを間欠状に配置した寸法検出体とからなり、
前記第１エレメントを４つの隅部のうち３箇所の隅部に配置し、前記第２エレメントを残る１箇所の隅部に配置し、前記データ部をその他の空間に配置したことを特徴とする、
情報表示メモリーマーク。
【請求項２】
請求項１に記載の情報表示メモリーマークであって、第３エレメントを更に有し、前記第３エレメントは、左右の隅部にある第１又は第２エレメントの間に配してある上下のデータ部に挟まれた空間に、複数のセルを列方向に直線状かつ間欠状に配置してなり、該データ部の列方向の長さを表すことを特徴とする、情報表示メモリーマーク。
【請求項３】
請求項１又は２に記載の情報表示メモリーマークであって、第４エレメントを更に有し、前記第４エレメントは、左右の隅部にある第１又は第２エレメントの間に配してある上下のデータ部に挟まれた空間に、複数のセルを列方向に直線状に配置してなり、該第４エレメントを構成するセルは、各セルの上下に配してあるデータ部の読み取り方法を指定する情報を表すことを特徴とする、情報表示メモリーマーク。
【請求項４】
請求項２又は３に記載の情報表示メモリーマークであって、第５エレメントを更に有し、前記第５エレメントは上下の隅部にある第１又は第２エレメントに挟まれた空間に配置してなり、前記データ部の誤り訂正の程度を表示することを特徴とする、情報表示メモリーマーク。
【請求項５】
請求項２乃至４の何れかに記載の情報表示メモリーマークであって、第６エレメントを更に有し、前記第６エレメントは、自己の行番号を示す行番号表示部、及び自己が最終行であるか否かを示す最終行表示部と、からなり、行番号表示部は前記第２エレメント内の空白部分に配置され、最終行表示部は上下の隅部にある各エレメントに挟まれた空間に配置されることを特徴とする、情報表示メモリーマーク。
【請求項６】
請求項５に記載の情報表示メモリーマークを複数積層して、一体化したコードを形成することを特徴とする、情報表示メモリーマーク。
【請求項７】
請求項１乃至６の何れかに記載の情報表示メモリーマークにおいて、前記第１エレメントがボックスコードの分割体からなり、前記分割体は各辺が連続してある当該ボックスコードの各頂点を割り当てるように４種に分割してあり、前記４種の分割体のうち３種の分割体を各隅部に夫々割り当てて配置してあることを特徴とする、情報表示メモリーマーク。
【請求項８】
請求項１乃至７の何れかに記載の情報表示メモリーマークであって、当該情報表示メモリーマークの外周に余白部を設けてあることを特徴とする、情報表示メモリーマーク。
【発明の詳細な説明】
【技術分野】
【０００１】
本発明は物体に付され、特定の読み取り装置によって読み取られて特定の情報を表示するための情報表示メモリーマークに関し、特に当該情報表示メモリーマークの天地左右、各辺のセル配置方向及びセル幅の検出精度が高く、全体形状の汎用性に優れた情報表示メモリーマークに関する。
【背景技術】
【０００２】
ある物体に情報表示メモリーマークを付し、それらをスキャナやデジタルカメラなどの撮影手段で撮影し当該撮影データを専用のソフトウェアによって解析して当該情報表示メモリーマークに格納された情報を取り出す技術は一般的に知られている。【０００３】
従来の情報表示メモリーマークとしては、２次元コードなどが知られている。
前記２次元コードには、一般的なバーコードを縦方向に積層した形のスタック型と、マトリックスの交点が黒か白かによってコード化したマトリックス二次元コード等が存在する。スタック型とマトリックス型の二次元コードは、明確にその特徴が異なる。スタック型は、あくまでもバーコードを積み上げたコードであるので、スタートストップコードが必要であり、レーザースキャナ等の従来のスキャナを使用して、バーコードとの併読性を重視したコードであるに対し、マトリックス型は、情報化密度とサイズを重視したコードである。通常、スタック型のバーの高さは、レーザースキャナ読取りを考慮するとモジュール幅の３倍から１０倍は必要であるため、マトリックス型は、スタック型の３倍から１０倍の情報化密度があることになる。【０００４】
また、一般的な２次元コードの一つとして、ボックスコードが知られている。ボックスコードは、下記の特許文献に示すように、複数の正方形の基本ユニットからなる箱形の情報表示メモリーマークであり、相似する複数の四角形（エレメント）を同心上に配置し、当該四角形の各辺を欠損させることによって情報を表すものであり、１つのエレメントで４ビットの情報が格納できる。また、一般的なボックスコードは、大きさの異なる４つの正方形を同心状に配置し、各正方形の各辺を１ビットとして、各辺を選択的に切断することにより、合計１６ビットの情報を表すことができる。【０００５】
また、その他の一般的な２次元コードとして、ＱＲコードがよく知られている。
ＱＲコードは、縦横方向にデータ部を設けるとともに、位置検出の為の切り出しシンボルに、塗りつぶされた四角形とその外周に設けた四角形によって形成されたエレメントを３箇所のコーナーに設けることによって、コード全体の切り出しと、原点検知、シンボルサイズ検知及び傾き検知を行えるようにしたものである。【０００６】
【特許文献１】特公第２７８８４３９号公報
【非特許文献１】ＱＲコード                  「http://www.denso-wave.com.qrcode/aboutqr.html」
【発明の開示】
【発明が解決しようとする課題】
【０００７】
しかしながら、従来の情報表示メモリーマークには、以下のような問題があった。
（１）ボックスコードは１つのエレメントにつき４ビットまでの情報しか格納できず、大容量の情報を格納するには不向きである。
（２）ＱＲコードは前記ボックスコードと比較して大量のデータを格納することができるが、切り出しシンボルの検出精度が低く、高速かつ正確にデータを読み取ることが困難である。
また、上記のデータの検出精度の問題を補うため、ＱＲコード内部に使用するエラー訂正符号の領域を大きく確保する必要があり、全体としてＱＲコードの巨大化の要因となっている。
（３）また、ＱＲコードはＪＩＳ規格によって統一されていることもあり、セル長のバリエーションや、切り出しシンボルのパターン（大きさ）が４０種類程度に定められており、汎用性にかける。【０００８】
従って、本発明の目的は、従来の情報表示メモリーマークと比較して高速且つ高精度に検出可能であるとともに、全体形状に対して汎用性が高い情報表示メモリーマークの提供を目的とする。
【課題を解決するための手段】
【０００９】
そこで、上記目的を達成するためになされた本願の第１発明は、複数のセルを行方向及び列方向に組み合わせてなる四辺形の情報表示メモリーマークであって、当該情報表示メモリーマークは、第１エレメントと、第２エレメント及びデータ部とを少なくとも含み、前記第１エレメントは、複数のセルを行方向及び列方向に連続して配置してなる方向検出体を複数具備し、当該複数の方向検出体を互いに一定間隔離間して放射状に配置してなり、前記第２エレメントは、前記方向検出体と、当該方向検出体によって指し示す行方向及び列方向に対して複数のセルを間欠状に配置した寸法検出体とからなり、前記第１エレメントを４つの隅部のうち３箇所の隅部に配置し、前記第２エレメントを残る１箇所の隅部に配置し、前記データ部をその他の空間に配置したことを特徴とする、情報表示メモリーマークを提供するものである。
【００１１】
また、本願の第２発明は、本願の第１発明に記載の情報表示メモリーマークであって、第３エレメントを更に有し、前記第３エレメントは、左右の隅部にある第１又は第２エレメントの間に配してある上下のデータ部に挟まれた空間に、複数のセルを列方向に直線状かつ間欠状に配置してなり、該データ部の列方向の長さを表すことを特徴とする、情報表示メモリーマークを提供するものである。
【００１２】
また、本願の第３発明は、請求項１又は２に記載の情報表示メモリーマークであって、第４エレメントを更に有し、前記第４エレメントは、左右の隅部にある第１又は第２エレメントの間に配してある上下のデータ部に挟まれた空間に、複数のセルを列方向に直線状に配置してなり、該第４エレメントを構成するセルは、各セルの上下に配してあるデータ部の読み取り方法を指定する情報を表すことを特徴とする、情報表示メモリーマークを提供するものである。
【００１３】
また、本願の第４発明は、本願の第２又は第３発明に記載の情報表示メモリーマークであって、第５エレメントを更に有し、前記第５エレメントは上下の隅部にある第１又は第２エレメントに挟まれた空間に配置してなり、前記データ部の誤り訂正の程度を表示することを特徴とする、情報表示メモリーマークを提供するものである。
【００１４】
また、本願の第５発明は、本願の第２乃至第４発明の何れかに記載の情報表示メモリーマークであって、第６エレメントを更に有し、前記第６エレメントは、自己の行番号を示す行番号表示部、及び自己が最終行であるか否かを示す最終行表示部と、からなり、行番号表示部は前記第２エレメント内の空白部分に配置され、最終行表示部は上下の隅部にある各エレメントに挟まれた空間に配置されることを特徴とする、情報表示メモリーマークを提供するものである。
【００１５】
また、本願の第６発明は、本願の第５発明に記載の情報表示メモリーマークを複数積層して、一体化したコードを形成することを特徴とする、情報表示メモリーマークを提供するものである。
【００１６】
また、本願の第７発明は、本願の第１乃至第６発明の何れかに記載の情報表示メモリーマークにおいて、前記第１エレメントがボックスコードの分割体からなり、前記分割体は各辺が連続してある当該ボックスコードの各頂点を割り当てるように４種に分割してあり、前記４種の分割体のうち３種の分割体を各隅部に夫々割り当てて配置してあることを特徴とする、情報表示メモリーマークを提供するものである。
【００１７】
また、本願の第８発明は、本願の第１乃至第７発明の何れかに記載の情報表示メモリーマークであって、当該情報表示メモリーマークの外周に余白部を設けてあることを特徴とする、情報表示メモリーマークを提供するものである。
【発明の効果】
【００１９】
以上のように、本発明によると下記の効果のうち、少なくとも一つを得ることができる。【００２０】
（１）当該情報表示メモリーマークは、各辺のセル配置方向及びセル幅の検出精度と検出速度が従来の情報表示メモリーマークと比較して高い。したがって、データ部の読み出し精度も高いため、誤り訂正符号の強度を従来より低くできる。１コードに対してデータ部を割り当てる領域も当然に増加するため、コードの極小化に寄与する。
（２）情報表示メモリーマーク１コード当たりに配置可能なデータ部を行方向及び列方向に自在に増減できる。ほか、複数の情報表示メモリーマークを行方向に多段に積層することにより、一体化した情報表示メモリーマークを作成することができる。したがって全体形状のバリエーションが豊富で汎用性に優れ、格納する情報量や誤り訂正の強度等によって所望の情報表示メモリーマークを提供することができる。
【発明を実施するための最良の形態】
【００２１】
以下、図面を参照しながら本発明の実施の形態について説明する。
本説明に使用するセルは同一寸法及び同一形状のものを用い、上下左右及び行列の方向は、各図に記載される方向を基準とする。また、黒く塗りつぶされたセルは「１(Highレベル)」の情報を表すものとし、塗りつぶされていないセルについては「０（Lowレベル）」の情報を表すものとする。
【実施例１】
【００２２】
図１は、本発明の情報表示メモリーマークの第１実施例を示す図である。
図１に係る情報表示メモリーマークは多数のセルを縦横方向に組み合わせてなる四角形状の二次元コードであり、左上隅、左下隅、右上隅、右下隅に計４箇所の隅部を有する四辺形の情報表示メモリーマークである。当該情報表示メモリーマークは、第１エレメント１と、第２エレメント２と、第３エレメント３と、第４エレメント４と、第５エレメント５と、第６エレメント６と、データ部７と、余白部８からなる。【００２３】
［第１エレメント］
第１エレメント１について説明する。第１エレメント１は後述する第２エレメント２と異なる数だけ配置され当該情報表示メモリーマークの各辺の方向及びセル幅を検出可能な情報を表すエレメントである。【００２４】
また、第１エレメント１は、複数のセルを互いに異なる２方向に連続して配置してなる方向検出体を複数具備し、当該複数の方向検出体を互いに一定間隔離間して放射状に配置してなる。【００２５】
より詳しく説明すると、方向検出体は当該情報表示メモリーマークの隅部を交点とする２辺の方向を検出する情報を表し、当該方向検出体が当該複数の方向検出体を互いに一定間隔離間して放射状に配置することにより前記２辺のセル配置方向に係る１セルあたりのセルの幅（長さ）、すなわちセル寸法についても検出可能な情報を表すエレメントである。
本実施例においては、前記情報表示メモリーマークの４箇所の隅部のうち、左上隅、左下隅、右下隅の３箇所の隅部に第１エレメント１が配置されている。
上記の配置形態とすることにより、第１エレメント１と、後述する第２エレメント２との配置組み合わせによって、当該情報表示メモリーマークの天地左右を検出可能とする。【００２６】
図２は、図１における３種の第１エレメントの詳細を示す図である。
本実施例に係る第１エレメント１は、従来のボックスコード、すなわち相似する複数の四角形を同心上（放射状）に配置したものを上下左右に均等に４分割し、当該４つの分割体のうち３つの分割体をそれぞれ別個の第１エレメントとして用いたものである。
なお、当該ボックスコードの分割は、各分割体が同じ大きさとなるよう均等に分割することを必須とするものではないが、情報表示メモリーマークを形成する各辺の方向及び１セルあたりのセル幅をどの方向からも精度の差分無く検出するためには、均等に分割してあることが好ましい。【００２７】
図２（ａ）は、図１における情報表示メモリーマークの左上隅に配置される第１エレメント１を示したものであり、図２（ｂ）は、図１における情報表示メモリーマークの左下隅に配置される第１エレメント１を示したものであり、図２（ｃ）は、図１における情報表示メモリーマークの右下隅に配置される第１エレメント１を示したものである。なお、図２（ａ）乃至（ｃ）におけるセルの配置において、説明の便宜上セルとセルとの間に微少な隙間を設けているが、セルとセルとの間に微少な隙間を設けることを必須の要件とするものではない。【００２８】
図２（ａ）を参照しながら左上隅に配置される第１エレメント１について説明する。左上隅の第１エレメント１は、８×８セルの四角形からなるエレメントであり、合計６４セルが配置されている。【００２９】
すなわち、左上隅に配置される第１エレメント１は、下記のようなセル配置を構成する。【００３０】
１行目：「１１１１１１１１」、
２行目：「１０００００００」、
３行目：「１０１１１１１１」、
４行目：「１０１０００００」、
５行目：「１０１０１１１１」、
６行目：「１０１０１０００」、
７行目：「１０１０１０１１」、
８行目：「１０１０１０１０」、【００３１】
以上の説明から明らかなように、第１エレメント１は相似形状のＬ字型の方向検出体１ａ、１ｂ、１ｃ、１ｄがあたかも放射状に配置されているように構成されている。【００３２】
次に、図２（ｂ）を参照しながら、左下隅に配置される第１エレメント１について説明する。図２（ａ）について先に説明したように、左下隅に配置される第１エレメント１についても８×８セルの四角形からなるエレメントであり、合計６４セルが配置される。【００３３】
すなわち、左下隅に配置される第１エレメント１は、下記のようなセル配置を構成する。【００３４】
１行目：「１０１０１０１０」、
２行目：「１０１０１０１１」、
３行目：「１０１０１０００」、
４行目：「１０１０１１１１」、
５行目：「１０１０００００」、
６行目：「１０１１１１１１」、
７行目：「１０００００００」、
８行目：「１１１１１１１１」、【００３５】
次に、図２（ｃ）を参照しながら右下隅に配置される第１エレメント１について説明する。図２（ａ）について先に説明したように、右下隅に配置される第１エレメント１についても８×８セルの四角形からなるエレメントであり、合計６４セルが配置される。【００３６】
すなわち、右下隅に配置される第１エレメント１は、下記のようなセル配置を構成する。【００３７】
１行目：「０１０１０１０１」、
２行目：「１１０１０１０１」、
３行目：「０００１０１０１」、
４行目：「１１１１０１０１」、
５行目：「０００００１０１」、
６行目：「１１１１１１０１」、
７行目：「０００００００１」、
８行目：「１１１１１１１１」、【００３８】
［第２エレメント］
第２エレメント２は、第１エレメント１において具備する方向検出体と、当該方向検出体によって指し示す２方向に対して複数のセルを間欠状に配置した寸法検出体とからなり、当該情報表示メモリーマークの各辺の方向及びセル幅を検出可能な情報を表すエレメントである。また前記第１エレメント１と組み合わせて配置されることにより、当該情報表示メモリーマークの天地を検出可能な情報を表すエレメントであり、本実施例においては、右上隅の１箇所の隅部に第２エレメント２が配置されている。【００３９】
図３は、図１に係る第２エレメント２の詳細図である。なお、図３におけるセルの配置は、説明の便宜上セルとセルとの間に微少な隙間を設けているが、図２と同様、セルとセルとの間に微少な隙間を設けることを必須の要件とするものではない。【００４０】
図３を参照しながら第２エレメント２について説明する。
第２エレメント２は、複数のセルを互いに異なる２方向に連続して配置してなる方向検出体２ａと、当該方向検出体２ａによって指し示す２方向に対して複数のセルを間欠状に配置した寸法検出体２ｂとからなる。【００４１】
すなわち図３に示す第２エレメント２は、下記のようなセル配置を構成する。【００４２】
１行目：「１１１１１１１１」、
２行目：「０００００００１」、
３行目：「１００００００１」、
４行目：「０００００００１」、
５行目：「１００００００１」、
６行目：「０００００００１」、
７行目：「１００００００１」、
８行目：「０１０１０１０１」、【００４３】
［第３エレメント］
第３エレメント３は、ある一定の方向を検出する情報及びセル長を表すエレメントである。
図４に、本実施例に係る第３エレメント３の詳細図を示す。
図４に示すように、第３エレメント３は、データ部に対して列方向に横断するように配置されている。当該第３エレメント３におけるセルが配置された直線方向を検出するために列方向に対して直線上に「１」のセルと、「０」のセルとが交互に配置されている。
このとき、第３エレメント３の左右両端は必ず「１」のセルであるように配置することが必要である。【００４４】
［第４エレメント］
第４エレメント４は、前記データ部の読み出し方法を指定する情報を表すエレメントである。
本実施例に係る第４エレメント４は、前記第３エレメント３と同様、データ部に対して列方向に横断するように直線上に配置されており、当該情報表示メモリーマークのデータ部７に対して列単位でデータ検出を行う方法を指定する情報が格納される。
例えば、ある列における第４エレメント４が「０」のセルである場合には、シングルバイトモードを示し、当該第４エレメント４を挟んで上下に配置された１バイトのデータ部を別個独立したデータとして取り扱うものとする。
また、ある列における第４エレメント４が「１」のセルである場合には、ダブルバイトモードを示し、当該第４エレメント４を挟んで上下に配置された１バイトのデータ部を２バイトのデータとして取り扱うものとする。【００４５】
［第５エレメント］
第５エレメント５は、前記第５エレメントは前記データ部の誤り訂正符号であることを特徴とする。
図１に示すように、本実施例における第５エレメント５は、第２エレメント２と当該情報表示メモリーマークの右下隅に配置された第１エレメント１の間に配置される。
また、図５に本実施例において用いる第５エレメント５の詳細図を示す。
第５エレメントにおける誤り訂正符号は、従来知られる様々な符号を使用することができるが、本実施例では３ビットのリードソロモン符号を使用するものとし、５段階の誤り訂正レベルを選択可能としたものである。【００４６】
［第６エレメント］
第６エレメント６は、自己の行番号を示す行番号表示部６１、及び自己が最終行であるか否かを示す最終行表示部６２を表すエレメントである。
図１に示すように、前記第６エレメント６のうち、行番号表示部６１は第２エレメント２内部の空白部分に配置され、最終行表示部６２は、第２エレメント２と当該情報表示メモリーマークの右下隅に配置された第１エレメント１の間に配置される。【００４７】
行番号表示部６１は、５×５＝２５セルの正方形からなり、２25行までを表示可能とするものである。
図１における情報表示メモリーマークは、単体で読み取るコードであるため１行目で終了する。したがって行番号表示部６１は２５セル全てに対して「０」のセルが配置されることとなる。【００４８】
ただし、行番号表示部６１と第２エレメント２の組み合わせにより、前記第１エレメント１と対称形状になると、第１エレメントと第２エレメントとの混同が生じ第２エレメントの天地左右の検出機能が失われるため、行番号表示部６１は、下記のセル配置を除くものとする。【００４９】
１行目：「１１１１１」、
２行目：「００００１」、
３行目：「１１１０１」、
４行目：「００１０１」、
５行目：「１０１０１」、【００５０】
図６に最終行表示部６２の詳細図を示す。
最終行表示部６２は、２つのセルを使用するものであって、当該情報表示メモリーマークが最終行である場合には、「００」のセルを配置し、当該情報表示メモリーマークが未だ継続する行である場合には、「１１」のセルを配置するものとする。
図１を参照すると本実施例に係る情報表示メモリーマークは、単体で読み取るコードであるため、最終行表示部６２は、「００」のセルが配置されている。【００５１】
［データ部］
データ部７には、文字、画像、音声、動画、プログラム、或いはこれらが組み合わされた情報、或いはこれらの情報を予め暗号化した情報が格納される。
また、データの配列方法は、本発明の情報メモリーマークを読み取る手段（読み取り装置あるいは読み取りプログラム）との間で適当に取り決められた配列方法にしたがって配列すればよい。【００５２】
［余白部］
余白部８は、当該情報表示メモリーマークの外周にわたって１セル分の余白を設けた部分であって、当該情報表示メモリーマークの読み取りの便宜上形成しておくことが望ましい。当該余白部を設けることによって、当該情報表示メモリーマークの誤検出を予め防止することができる。【００５３】
［データ部読み取り前の画像補整処理］
本実施例による、第１エレメント、第２エレメント或いは第３エレメントを用いたセル幅（寸法）、各辺のセル配置方向及び天地左右の検出方法について説明する。【００５４】
１．セルの配置方向の検出
第１エレメント１および第２エレメント２によるまた各辺のセル配置方向の検出は、方向検出体を使用する。すなわち、当該四辺形の情報表示メモリーマークの行方向及び列方向に「１」のセルが連続して配置されていることを利用し、読み取り装置のソフトウェアによって、各辺のセル配置方向を特定し、データ部７の読み取り前に当該情報表示メモリーマークの傾き補正などの画像処理を行うものである。【００５５】
なお、第３エレメント３においても、ある特定の方向に対して複数のセルを間欠状に配置してあることを利用し、読み取り装置のソフトウェアによって、セル配置方向を特定し、データ部７の読み取り前に当該情報表示メモリーマークの傾き補正などの画像処理を行うものである。【００５６】
２．セル幅（寸法）の検出
第１エレメント１によるセル幅の検出は、複数の方向検出体１ａ、１ｂ、１ｃ、１ｄが一定距離離間して放射状に配置されていることを利用する。すなわち、当該四辺形の情報表示メモリーマークの行方向及び列方向に「１」と「０」のセルが交互に配置されていることを利用し、読み取り装置のソフトウェアによって、データ部７の読み取り前に各辺のセル幅を特定するものである。【００５７】
３．天地左右の検出
本発明の情報表示メモリーマークの天地左右を検出するには、第１エレメントと第２エレメントの配置形態を用いる。
図１における第２エレメントは、当該情報メモリマークの右上隅に配置されているため、読み取り装置側のソフトウェアが、当該第２エレメントを認識したのちに、データ部７の読み取り前に当該読み取った情報表示メモリーマークに対して任意に回転などの画像処理を加えるものである。
なお、本発明の情報表示メモリーマークの天地左右を検出するには、前記第１エレメントと前記第２エレメントのそれぞれの配置個数が異なるように配置していれば足りるため、当該実施例に限定されるものではない。【００５８】
なお、上記１〜３の検出手順は、読み取り装置のソフトウェアによっていかなる順番においても実施することができ、また同時に行っても同様の効果を得ることができる。
【実施例２】
【００５９】
図７は、本発明の情報表示メモリーマークの第２実施例を示す図である。
図７に示すように、実施例１に示す情報表示メモリーマークを行方向に複数積層する構成ととすることもできる。
なお、各エレメントについては、実施例１と同様であるため、説明を省略する。【００６０】
本実施例では、図７に示すように、上段の情報表示メモリーマークの第６エレメントにおける行番号表示部６１は１段目であることを示す情報、即ち２５セル全てに「０」が配置されており、最終行表示部６２は「１１」が配置されている。また、下段の情報表示メモリーマークの行番号表示６１は、２段目である事を示す情報、即ち１セル目のみを「１」、残る２４セルに「０」が配置されている。２段目の情報表示メモリーマークは最終行であるため、最終行表示部６２には、「００」が配置される。
上記の構成とすることにより、積層された複数の情報表示メモリーマークを、一体となった情報表示メモリーマークとして認識させることが可能となる。
【実施例３】
【００６１】
図８は、本発明の情報表示メモリーマークの第３実施例を示す図である。
図８に係る情報表示メモリーマークは、正方形状のコードであって、第１エレメント１と、第２エレメント２と、第４エレメント４と、データ部７と、余白部８及びパリティ９とからなる。なおパリティ９は奇数／偶数パリティを問わないものとする。
第１エレメントは、当該情報表示メモリーマークの各４箇所の隅部のうち３箇所に配置され、残る１箇所の隅部に第２エレメントが配置されている。第１エレメント、第２エレメントについては、第１実施例と同様であるため、説明を省略する。【００６２】
パリティ９のうち、第１パリティは、データ部の０−０〜０−７までのセルによって生成され、Ｐ−０と記載されたセルに格納される。データ部の１−０〜７−７までのセルに対しても、同様の手順を繰り返して第２パリティから第８パリティを生成し、順にＰ−１からＰ−７に格納する。【００６３】
また、第４エレメント４は、第２エレメント２に囲まれる領域内のL字型に間欠状に配置されている。
セルが「０」のセルである場合には、シングルバイトモードによる読み取り方法を示し、セルが「１」のセルである場合には、ダブルバイトモードによる読み取り方法を示すものとする。
図８に示す第４エレメント４のうち、Ｄ−Ｔと記載されたセルには、十字型に配置されたデータ部７のうち、上側のデータ部７ａの読み取り形態を示してある。同様に、Ｄ−Ｂ、Ｄ−Ｌ、Ｄ−Ｒと記載されたセルには、それぞれ、下側、左側、右側のデータ部７ｂ、７ｃ、７ｄの読み取り形態を示してある。
なお、ダブルバイトモード時における２バイトデータの検出方法や、第４エレメント４の配置位置は、仕様に応じて適宜決定することができ、本実施例に限定されるものではない。
【実施例４】
【００６４】
図９は、本発明の情報表示メモリーマークの第４実施例を示す図である。
図９に係る情報表示メモリーマークは、第１エレメント１と、第２エレメント２と、第３エレメント３と、第５エレメント５と、第６エレメント６及びデータ部７及び余白部８とからなる。
なお、各エレメントについては、実施例１と同様であるため、説明を省略する。
【実施例５】
【００６５】
図１０は、本発明の情報表示メモリーマークの第５実施例を示す図である。
第５実施例に係る情報表示メモリーマークは、第４実施例の構成を有する情報表示メモリーマークに対して、データ部７を列方向に延長させた場合の実施例である。
なお、各エレメントについては、実施例１と同様であるため、説明を省略する。
図１０のようにデータ部７を列方向に長く延長させた場合であっても、第３エレメント３がデータ部７間の列方向に対する方向補償を行うため、検出精度を高く確保することが可能である。【００６６】
［その他の実施例］
なお、本発明の情報表示メモリーマークにおけるセルの「１(Highレベル)」又は「０（Lowレベル）」の表示方法は、本実施例に限られない。【００６７】
例えば、セルの「１(Highレベル)」の情報を暗闇で発光（自然発光）する材料で表示することも可能であるし、セルの色調を変更することによって表示してもよい。【００６８】
また、セルの形状は正方形に限られず、当該情報表示メモリーマークに求められる美観や、読み取り装置の読み取り精度に応じて、その他の多角形のセルや、円形のセルを用いてもよい。
【図面の簡単な説明】
【００６９】
【図１】本発明の第１実施例の情報表示メモリーマークを示す図。
【図２】図１における第１エレメントの詳細な説明図。
【図３】図１における第２エレメントの詳細な説明図。
【図４】図１における第３エレメントの詳細な説明図。
【図５】図１における第５エレメントの詳細な説明図。
【図６】図１における最終行表示部の詳細な説明図。
【図７】本発明の第２実施例の情報表示メモリーマークを示す図。
【図８】本発明の第３実施例の情報表示メモリーマークを示す図。
【図９】本発明の第４実施例の情報表示メモリーマークを示す図。
【図１０】本発明の第５実施例の情報表示メモリーマークを示す図。
【符号の説明】
【００７０】
１：第１エレメント
１ａ、１ｂ、１ｃ、１ｄ：方向検出体
２：第２エレメント
２ａ：方向検出体
２ｂ：寸法検出体
３：第３エレメント
４：第４エレメント
５：第５エレメント
６：第６エレメント
６１：行番号表示部
６２：最終行表示部
７：データ部
８：余白部
９：パリティ
【図１】
0004427552.tif 000002
【図２】
0004427552.tif 000003
【図３】
0004427552.tif 000004
【図４】
0004427552.tif 000005
【図５】
0004427552.tif 000006
【図６】
0004427552.tif 000007
【図７】
0004427552.tif 000008
【図８】
0004427552.tif 000009
【図９】
0004427552.tif 000010
【図１０】
0004427552.tif 000011